(57)【要約】      （修正有）【課題】身体に障害をもつ人が用を足す時や看護での排泄の手伝いでのパンツの上げ下げの困難の解消、着物の女性が用を足す時のパンツの上げ下げでの着衣の乱れを防ぐ等々で、下げずに用の足せるパンツに関するものである。【解決手段】パンツに排泄器が露出する排泄孔を作り、それを覆う覆い布の片辺をパンツに縫合し片辺にパンツとの留め具を付ける。用を足さない時は覆い布をパンツに留めて排泄器を覆い隠し、外見は普通のパンツと同じにする。用を足す時はパンツを下げずに覆い布を捲って排泄器を露出させる。【選択図】図３
2004211272.tif 000002
【特許請求の範囲】
【請求項１】
（イ）パンツの小便排泄器から肛門までの股部に、排泄器が露出する排泄孔を設ける。
（ロ）排泄孔を覆う帯状の覆い布を、前と股部は片側辺を、うしろは排泄孔端の位置から上の両辺と上辺をパンツに縫合して取り付ける。
（ハ）覆い布のパンツ前面で縫合していない片側角部と、その位置に相対したパンツの部位にマジックテープ（Ｒ）を取り付ける。
（ニ）用を足さない時は、覆い布で排泄孔を覆い、マジックテープ（Ｒ）でパンツに留めて排泄器を覆い隠す。
（ホ）用を足す時は、マジックテープ（Ｒ）をはがして開け、覆い布を捲って排泄孔から排泄器を露出させる。
以上の如く構成された、着用中の普段は排泄器を覆い隠して、用を足す時は下げずに排泄が可能なパンツ。
【発明の詳細な説明】
【０００１】
【発明の属する技術分野】
本発明は、小便排泄器から肛門までのパンツ股部に排泄器が露出する排泄孔とその排泄孔を覆う覆い布をパンツに取り付けて、用を足さない時は覆い布で排泄孔を覆い隠し、用を足す時は覆い布を捲って排泄器を露出させる、下げずに用を足せるパンツに関するものである。
【０００２】
【従来の技術】
従来は、男性が前開きパンツで小便をする以外は、パンツを下げて用を足し、終わればパンツを上げていたが、その為に、
Ａ．身体に障害をもつ人には、パンツの上げ下げは困難である。
Ｂ．寝たきりや安静を要する人の介護で、排泄の手伝いをする時のパンツの上げ下げは困難である。それを簡単にする為にパンツを穿かずにＴ字帯を着けることがあるが、Ｔ字帯の前は紐に挟んでいるだけの為に、着用中にＴ字帯がずれて排泄器が見えてしまうことがある。
Ｃ．着物の女性が用を足す時にパンツの上げ下げで着衣が乱れてしまい、着付けし直さねばならない時がある。それを避ける為にパンツを着用しない事もあるが、着物の中では排泄器が露出しており、裾を大きくはだけないようにするや下から覗かれないようにする等で常に気を配らなければならない。
等々で、パンツの上げ下げが困難や不便なことがある。
【０００３】
【発明が解決しようとする課題】
本案は、それらを解消して、パンツの上げ下げが困難や不便な人の為に、着用中は排泄器を覆い隠して外見は通常のパンツと同じであるが、パンツを下げずに用を足せるように発明されたものである。
【０００４】
【課題を解決する為の手段】
いま、その構成を説明すると、
（イ）パンツは伸縮性のある生地で、股下部が太腿に軽く密着する形状にする。
股下部を太腿部に密着させることで、後に記す排泄孔の位置を着用中にずれないように安定させる。
（ロ）パンツの股部に、前は着用時の小便排泄器が露出する位置からうしろは肛門が露出する位置までの排泄孔を設ける。
（ハ）排泄孔を覆い隠す帯状の覆い布を別に作りパンツに縫合する。縫合は覆い布片側辺を縫合して、うしろは排泄孔端の位置から上の覆い布両辺と上辺をパンツに縫合する。前の上辺は縫合しない。
（ニ）覆い布は、前は端を扇状に広げ、縫合する片側辺はゴム部までの長さにし、縫合しない片側辺は短くして前部上辺を斜めにする。股部は着用中に違和感のなくする為に排泄孔がはみ出さない程度に括れさせる。うしろは縫合部が臀部に圧しても違和感のない広さにする。覆い布のうしろは外見上の意匠からパンツのゴム部までの長さにするが、排泄孔を隠す目的を果たせば排泄孔端の位置から上のどの位置でもよい。
（ホ）覆い布前部上辺を斜めにする事で着用中に体を屈めた時などに縫合されていない上辺がパンツと離れて開き難くなり、かつ覆い布を捲ったり留めたりする時の摘む角をゴム部より下にする事で扱い易くする。
（ヘ）覆い布のパンツ前部の縫合をしない辺の上部角とその位置に相対したパンツの位置にマジックテープ（Ｒ）を取り付けて、着用中に覆い布が自然にパンツから捲れないようにする。マジックテープ（Ｒ）の代わりにボタン孔とボタンでもよい。
（ト）着用中で用を足さない時は、覆い布で排泄孔を覆って塞ぎ、マジックテープ（Ｒ）でパンツに留めて排泄器を覆い隠す。
（チ）用を足す時は、マジックテープ（Ｒ）をはがし、覆い布の縫合していない辺を捲り排泄孔の覆いを取り、排泄孔から排泄器を露出させる。
（リ）股下部が太腿に軽く密着している為に、覆い布を捲って股を広げれば、排泄器を露出させる排泄孔は股を広げるのに伴ってさらに広がり、排泄物でパンツを汚す事はない
【０００５】
【発明の実施の形態】
発明の実施の形態を図面について説明すれば、本発明のパンツ本体▲１５▼は伸縮性のある生地で股下部▲８▼が太腿部▲１４▼に軽く密着する形状にする。素材や組織は問わない。
【０００６】
パンツ本体▲１５▼の股部▲５▼に、小便排泄器▲３▼の１０ｃｍ程上から肛門▲４▼の１０ｃｍ程うしろまでの間に連なった、小便排泄器▲３▼と肛門▲４▼を露出させる排泄孔▲１▼を設ける。
【０００７】
排泄孔▲１▼を覆い隠す帯状の覆い布▲２▼を別に作成する。生地の素材や組織や伸縮性はパンツ本体▲１５▼と異なっても良い。
【０００８】
覆い布▲２▼の前は排泄孔▲１▼をはみ出さなくする為に上辺▲６▼を広げた扇状で、縫合する辺▲１７▼は長く、縫合しないで覆い布▲２▼を捲る辺▲１８▼は短くして上辺▲６▼を斜めにする。股部▲５▼は着用時に違和感がなくかつ排泄孔▲１▼がはみ出さない幅に括れさせる。後ろは排泄孔▲１▼をはみ出さなくする為に上辺▲７▼を広げた扇状にする。
【０００９】
覆い布▲２▼とパンツの排泄孔▲１▼の縦中心と、覆い布股部▲１２▼の括った最細部とパンツ股部▲５▼の中心をあわせ、排泄孔▲１▼を覆い隠す位置に覆い布▲２▼をパンツ本体▲１５▼に縫合する。縫合は覆い布前部▲１１▼の長くした縫合辺▲１７▼全部と、排泄孔のうしろ端部の位置から後部上辺▲７▼までの両辺と後部上辺▲７▼に施す。後部上辺▲７▼はゴム部▲１６▼作成時に同時に縫合してもよい。
【００１０】
覆い布▲２▼をパンツ本体▲１５▼に縫合したあとのパンツ股下部▲８▼は３ｃｍ以上の長さにする。
【００１１】
覆い布前部▲１１▼で縫合していない捲り辺▲１８▼の上部角にマジックテープ（Ｒ）のフック側▲９▼を取り付ける。排泄孔▲１▼を覆った時に捲り辺▲１８▼上部の角のマジックテープ（Ｒ）フック側▲９▼が相対するパンツ本体▲１５▼の位置に、マジックテープ（Ｒ）のループ側▲１０▼を取り付ける。
【００１２】
着用中で用を足さない時は、排泄孔▲１▼を覆い布▲２▼で覆い、覆い布▲２▼捲り辺▲１８▼のマジックテープ（Ｒ）フック側▲９▼をパンツ本体▲１５▼のマジックテープ（Ｒ）ループ側▲１０▼に合わせて留めて、覆い布▲２▼が自然にパンツ本体▲１５▼から捲れないようにする。
【００１３】
用を足す時は覆い布▲２▼のマジックテープ（Ｒ）フック側▲９▼をパンツ本体▲１５▼のマジックテープ（Ｒ）のループ側▲１０▼からはがし、覆い布▲２▼の捲り辺▲１８▼を捲って排泄孔▲１▼の覆いを取り、排泄孔▲１▼から小便排泄器▲３▼と肛門▲４▼を露出させる。
【００１４】
【発明の効果】
本発明は、以上説明したように構成されていて、着用中で用を足さない時は普通のパンツと同じ外観であり、パンツを下げずに覆い布を捲るだけで用を足せるので、以下に記載されるような効果を奏する。
【００１５】
（１）身体に障害があり、排泄時のパンツの上げ下げが面倒や困難で苦痛な人のバリヤフリーとなる。
（２）寝たきりや安静を要する人の看護での排泄の手伝いが簡単になる。
（３）Ｔ字帯のようにずれて排泄器を曝け出す事がない。
（４）着物の女性が用を足す時のパンツの上げ下げでの着衣の乱れがなくなる。
（５）銭湯や温泉の脱衣場などの人前で下着姿になることが出来る。
【図面の簡単な説明】
【図１】覆い布を縫合する前のパンツの下から見た略図
【図２】縫合する前の覆い布の略図
【図３】覆い布で排泄孔を覆い隠している時の前から見た略図
【図４】覆い布で排泄孔を覆い隠している時の後ろから見た略図
【図５】覆い布で排泄孔を覆い隠している時の前斜め下から見た略図
【図６】覆い布を捲った時の前斜め下から見た略図
【符号の説明】
▲１▼排泄孔
▲２▼覆い布
▲３▼小便排泄器
▲４▼肛門
▲５▼股部
▲６▼覆い布前部上辺
▲７▼覆い布後部上辺
▲８▼股下部
▲９▼マジックテープ（Ｒ）フック側
▲１０▼マジックテープ（Ｒ）ループ側
▲１１▼覆い布前部
▲１２▼覆い布股部
▲１３▼覆い布後部
▲１４▼太腿部
▲１５▼パンツ本体
▲１６▼ゴム部
▲１７▼縫合辺
▲１８▼捲り辺
▲１９▼縫合部
【図１】
2004211272.tif 000003
【図２】
2004211272.tif 000004
【図３】
2004211272.tif 000005
【図４】
2004211272.tif 000006
【図５】
2004211272.tif 000007
【図６】
2004211272.tif 000008